(57)【要約】【課題】電気場を形成するために垂直に係合された二つの共振部を有することで、より向上された性能を有して、コンパクト化された構造に構成し得る無電極照明システムを提供しようとする。【解決手段】電磁波を発生する電磁波発生部１００と、該電磁波発生部１００から発生する電磁波を特定周波数で共振させる共振部２００と、該共振部２００の内部に形成される電気場によってプラズマを形成して光を発生する発光部３００と、を包含して構成され、前記共振部２００は、前記電磁波発生部１００に連結された第１共振部２１０と、該第１共振部２１０と垂直に連結されて一方端が前記発光部３００と連結設置され、前記第１共振部２１０と一緒に特定周波数で共振する共振空間Ｓを形成する第２共振部２２０と、から構成されるように、無電極照明システムが構成される。【選択図】      図１
2004273412.tif 000002
【特許請求の範囲】
【請求項１】
電磁波を発生する電磁波発生部と、
該電磁波発生部に連結されて、該電磁波発生部から発生した電磁波を特定周波数で共振させる共振部と、
該共振部に連結されて、該共振部内に形成される電気場によってプラズマを形成して光を発生する発光部と、から構成された無電極照明システムであって、
前記共振部は、前記電磁波発生部に連結される第１共振部と、
該第１共振部と垂直に連結されて、一方端が前記発光部に連結されることで、前記第１共振部と一緒に特定周波数で共振する共振空間を形成する第２共振部と、から構成されることを特徴とする無電極照明システム。
【請求項２】
前記第１共振部及び第２共振部は、内部導体と、中心が該内部導体の中心と同様な外部導体と、から構成されることを特徴とする請求項１記載の無電極照明システム。
【請求項３】
前記第１共振部及び第２共振部の各内部導体は、相互連結されることを特徴とする請求項２記載の無電極照明システム。
【請求項４】
前記第１共振部及び第２共振部の各内部導体は、相互螺合されることを特徴とする請求項３記載の無電極照明システム。
【請求項５】
前記第１共振部の内部導体は、前記第２共振部の内部導体に切削形成された挿入溝に挿合されることで、前記第２共振部の内部導体と連結されることを特徴とする請求項３記載の無電極照明システム。
【請求項６】
前記第２共振部の内部導体は、前記第１共振部の内部導体の端部に形成された係合部の貫通孔に嵌合されることで、前記第１共振部の内部導体と係合されることを特徴とする請求項３記載の無電極照明システム。
【請求項７】
前記共振部は、インピーダンスマッチングを行うインピーダンスマッチング部を更に含んで構成されることを特徴とする請求項１又は２記載の無電極照明システム。
【請求項８】
前記インピーダンスマッチング部は、前記第１共振部と第２共振部の連結部に形成されることを特徴とする請求項７記載の無電極照明システム。
【請求項９】
前記インピーダンスマッチング部は、前記第１共振部の前記外部導体の内周面と前記第１共振部の長さ方向間に移動自在に係合されることを特徴とする請求項７記載の無電極照明システム。
【請求項１０】
前記インピーダンスマッチング部は、前記第１共振部の外部導体の内側面と螺合されることを特徴とする請求項７記載の無電極照明システム。
【請求項１１】
前記共振部の共振空間には、誘電物質が充填されることを特徴とする請求項１又は２記載の無電極照明システム。
【請求項１２】
前記第２共振部は一方が開放された開口部を有するシリンダ型に形成され、該開口部には前記発光部が係合されることを特徴とする請求項１又は２記載の無電極照明システム。
【請求項１３】
前記発光部は、電気場によってプラズマを形成して光を発生する発光物質が内部に封入された電球部を含んで構成されることを特徴とする請求項１記載の無電極照明システム。
【請求項１４】
前記発光部は、前記第２共振部に係合されて、前記発光部の電球部から発生する光を反射させる反射部を更に含んで構成されることを特徴とする請求項１３記載の無電極照明システム。
【請求項１５】
前記第１共振部及び第２共振部は、内部導体と、中心が該内部導体の中心と同様な外部導体と、から構成されることを特徴とする請求項１３記載の無電極照明システム。
【請求項１６】
前記反射部は、開口部を覆蓋するカバー部材を更に含んで構成されることを特徴とする請求項１３記載の無電極照明システム。
【請求項１７】
前記カバー部材は、光特性を改善するフィルター部材であることを特徴とする請求項１６記載の無電極照明システム。
【請求項１８】
前記カバー部材は、前記第２共振部からの電磁波の漏洩を防止するメッシュで形成されることを特徴とする請求項１６記載の無電極照明システム。
【請求項１９】
前記カバー部材は、光が透過する透明な材質を有し、その内側面または外側面は、電磁波が漏洩されないようにメッシュコーティングされることを特徴とする請求項１６記載の無電極照明システム。
【請求項２０】
前記電球部は、初期点灯を活性化する点灯促進部を更に含んで構成されることを特徴とする請求項１５記載の無電極照明システム。
【請求項２１】
前記点灯促進部は、前記第２共振部の軸方向に前記電球部の固定部材に設置された第１導体であることを特徴とする請求項２０記載の無電極照明システム。
【請求項２２】
前記第１導体は、前記固定部材の内部に埋入されることを特徴とする請求項２１記載の無電極照明システム。
【請求項２３】
前記第１導体の一部は、前記電球部の内部空間に突成されることを特徴とする請求項２１記載の無電極照明システム。
【請求項２４】
前記第１導体の先方端は、尖形に形成されることを特徴とする請求項２１記載の無電極照明システム。
【請求項２５】
前記第１導体は、前記第２共振部の内部導体と伝導性部材で連結されることを特徴とする請求項２１記載の無電極照明システム。
【請求項２６】
前記点灯促進部は、前記電球部を基準に前記第１導体の反対側に対向して形成された第２導体を更に含んで構成されることを特徴とする請求項２１記載の無電極照明システム。
【請求項２７】
前記第２導体は、前記反射部を覆蓋するカバー部材と伝導性部材により連結されることを特徴とする請求項２６記載の無電極照明システム。
【請求項２８】
前記第２導体は、前記電球部の外側壁面に埋入されて形成されることを特徴とする請求項２６記載の無電極照明システム。
【請求項２９】
前記第１導体の先方端は平らで、前記第２導体の先方端は尖っていることを特徴とする請求項２６記載の無電極照明システム。
【請求項３０】
前記点灯促進部は、前記電球部を基準にして、前記第２共振部の反対側に形成された第２導体を更に含んで構成されることを特徴とする請求項２０記載の無電極照明システム。
【請求項３１】
前記電磁波発生部と第１共振部間は、インピーダンスの不連続性を減らす連結部材を更に含んで構成されることを特徴とする請求項１記載の無電極照明システム。
【請求項３２】
前記電磁波発生部の出口部の外径をａとし、前記第１共振部の内径をｂとした時、１／８＜ａ／ｂ＜１／１２を満足するように構成されたことを特徴とする請求項１記載の無電極照明システム。
【発明の詳細な説明】
【０００１】
【発明の属する技術分野】
本発明は、無電極照明システムに係るもので、詳しくは、構造をコンパクト化しながらも、性能は向上し得る無電極証明システムに関するものである。
【０００２】
【従来の技術】
従来の無電極照明システム（Ｅｌｅｃｔｒｏｄｅｌｅｓｓ  ｌａｍｐ  ｓｙｓｔｅｍ）は、電子レンジ等に用いられる電磁波発生装置（マグネトロン等）から電磁波が発生し、該電磁波が形成する電気場によって、電球内に封入された発光物質をプラズマ状態にさせ、よって、光を連続的に発散するように照明システムが構成されている。
【０００３】
即ち、このような無電極照明システムは、電極なしに、既存の照明機器の数十倍に該当する光束を出力する照明システムであるため、強大な照明が要求される蹴球場及び野球場は勿論で、街灯等に多様に適用されている。
【０００４】
【特許文献１】
米国特許第６，０４６，５４５号
【０００５】
【発明が解決しようとする課題】
然るに、このような従来の無電極照明システムにおいては、その動作過程で多量の熱が放出されるために、冷却装置のような付帯装置が必要となり、構造が大きくなると共に、照明システムの性能及び寿命に大きな影響を及ぼすという不都合な点があった。
【０００６】
従って、前記無電極照明システムは、長い寿命を有して安定的に動作される構造が必要であり、且つ、点光源またはプロジェクタ（ｐｒｏｊｅｃｔｏｒ）として用いられる場合よりは適切な構造を有する無電極照明システムとして適用すべきである。
【０００７】
本発明は、このような従来の課題に鑑みてなされたもので、電気場を形成する二つの共振部を備えることで、性能を向上しながらも、コンパクト化が可能な無電極照明システムを提供することを目的とする。
【０００８】
【課題を解決するための手段】
このような目的を達成するため、本発明に係る無電極照明システムにおいては、電磁波を発生する電磁波発生部と、該電磁波発生部に連結されて、該電磁波発生部から発生する電磁波を特定周波数で共振させる共振部と、該共振部に連結されて、該共振部内で形成される電気場によってプラズマを形成して光を発生する発光部と、から構成されるが、前記共振部は、前記電磁波発生部に連結される第１共振部と、該第１共振部と垂直に連結されて、一方端が前記発光部に連結されることで、前記第１共振部と一緒に特定周波数で共振する共振空間を形成する第２共振部と、から構成されることを特徴とする。
【０００９】
【発明の実施の形態】
以下、本発明の実施の形態に対し、図面に基づいて説明する。
【００１０】
本発明に係る無電極照明システムにおいては、図１に示したように、電磁波を発生する電磁波発生部１００と、該電磁波発生部１００に連結されて、該電磁波発生部１００から発生する電磁波を特定周波数で共振させる共振部２００と、該共振部２００に連結設置されて、該共振部２００内に形成される電気場によってプラズマを形成して光を発生する発光部３００と、を包含して構成されている。
【００１１】
且つ、前記電磁波発生部１００は、マグネトロンと一緒に電磁波を発生する装置であって、電源供給装置（図示せず）に連結されて、該電源供給装置からの電源によって電磁波を発生し、後述する共振部２００に連結設置されて共振空間Ｓ内に電磁波を供給する。
【００１２】
また、前記共振部２００は、前記電磁波発生部１００に垂直に連結される第１共振部２１０と、該第１共振部２１０と垂直に連結されて、一方端に前記発光部３００が連結されることで、前記第１共振部２１０と一緒に特定周波数で共振される共振空間Ｓが形成された第２共振部２２０と、から構成されている。
【００１３】
且つ、前記第１共振部２１０及び第２共振部２２０は、相互同心をなす同様な内部導体と外部導体とで構成された同軸型導波管（ｃｏａｘｉａｌ  ｔｙｐｅ  ｗａｖｅｇｕｉｄｅ）であって、各内部導体（ｉｎｎｅｒ  ｃｏｎｄｕｃｔｏｒ）２１１，２２１と、それら内部導体２１１，２２１と同心である各外部導体（ｏｕｔｅｒ  ｃｏｎｄｕｃｔｏｒ）２１２，２２２と、から構成されている。
【００１４】
また、前記第１共振部２１０及び第２共振部２２０の各内部導体２１１，２２１は、夫々所定長さを有するロッド（ｒｏｄ）状に形成され、その断面は、円形、三角、四角及び多角形の多様な形状に形成されるが、図示されたように、円形に形成することが好ましい。
【００１５】
また、前記第１共振部２１０及び第２共振部２２０の各外部導体２１２，２２２は、各内部導体２１１，２２１と同心をなすように形成され、その断面も前記内部導体２１１，２２１とほぼ同様な円形、三角、四角及び多角形等に形成されるが、円形に形成することが好ましい。
【００１６】
また、図１乃至図３に示したように、前記第１共振部２１０の外部導体２１２の一方側は電磁波発生部１００の出口部１１０に係合され、他方端は第２共振部２２０に係合され、該第２共振部２２０の外部導体２２２の一方端は閉鎖されるが、他方端には後述する発光部３００の反射部３２０が係合されるように開口部２３０が開放されている。
【００１７】
また、図１に示したように、前記第１共振部２１０の内部導体２１１の一方端は電磁波発生部１００の出口部１１０に係合されることで、電磁波の伝達を受けるように形成され、他方端は第２共振部２２０の内部に延長されて該第２共振部２２０の内部導体２２１に係合され、該第２共振部２２０の内部導体２２１の一方端はその外部導体２２２の閉鎖された内壁面に係合され、他方端には後述する発光部３００の電球部３１０が係合される固定部材３３０が係合される。
【００１８】
また、図５乃至図７に示したように、前記第１共振部２１０の内部導体２１１と第２共振部２２０の内部導体２２１との係合構造は、第１実施形態として、前記第１共振部２１０の内部導体２１１の外周面に螺子部２１３を切削形成し、それに対応する前記第２共振部２２０の内部導体２２１には雌螺子部２２３を切削形成してそれらを螺合させるようになっている。
【００１９】
且つ、第２実施形態として、図６に示したように、第１共振部２１０の内部導体２１１の先方端にピン２１４を延長形成し、該ピン２１４に対応して、前記第２共振部２２０の内部導体２２１にピン挿入部２２４を切削形成して、該ピン挿入部２２４に前記ピン２１４を係合させることもできる。
【００２０】
また、前記第１共振部２１０の内部導体２１１と第２共振部２２０の内部導体２２１との係合構造の第３実施形態として、図７に示したように、第１共振部２１０の内部導体２１１の先方に前記第２共振部２２０の内部導体２２１が挿合される貫通孔２１６を有した結合部２１５を一体に形成することで、該結合部２１５の貫通孔２１６に内部導体２２１を挿合して使用するが、この時、前記結合部２１５の外径は、前記第２共振部２２０の内部導体２２１の外径より大きく形成することで、システムのマッチングインピーダンスを調整するときに活用することができる。
【００２１】
一方、前記共振部２００に、システムのインピーダンスマッチング（ｉｍｐｅｄａｎｃｅ  ｍａｔｃｈｉｎｇ）を行うためのインピーダンスマッチング部２４０を形成するが、該インピーダンスマッチング部２４０は、図８の（Ａ）に示したように、前記第１共振部２１０及び第２共振部２２０中何れか一つの内部導体２１１，２２１の長さ方向に断面積が増加されるようにスタブ（ｓｔｕｂ）２４１が形成される。
【００２２】
且つ、このようなインピーダンスマッチング部２４０のスタブ２４１は、図８の（Ｂ）に示したように、前記第１共振部２１０及び第２共振部２２０中何れか一つの外部導体２１２，２２２の内側面の一部分が内部に突出されるようにスタブ２４２を形成して使用することもできる。
【００２３】
即ち、それらスタブ２４１，２４２は、第１共振部２１０または第２共振部２２０の外部導体２１２，２２２中、何れか一方の外部導体２１２，２２２の内周面に一つ又は複数突成されるが、図１及び図３に示したように、インピーダンスマッチング効果を極大するために第１共振部２１０と第２共振部２２０との連結部位に形成することが好ましい。
【００２４】
且つ、前記インピーダンスマッチング部２４０は、使用者が微細調整を行うために、第１共振部２１０または第２共振部２２０の長さ方向を沿って移動し得るように、外部導体２１２，２２２の内周面に形成する場合、それら外部導体２１２，２２２の内周面には雌螺子部を切削形成し、インピーダンスマッチング部２４０の外周面には螺子部を切削形成することで、前記インピーダンスマッチング部２４０を外部導体２１２，２２２の上下左右方向移動自在に螺合させることができる。
【００２５】
即ち、前記共振部２００の第１共振部２１０及び第２共振部２２０の各設計値としての外部導体２１２，２２２の内径、内部導体２１１，２２１の外径及び各スタブ２４１，２４２のインピーダンスを調整することで、最適の光束を発生するインピーダンスがマッチングされるように設計するが、それら各部材の設計値を、図１４に示した等価回路図を用いて求めることができる。
【００２６】
また、前記発光部３００は、電気場によってプラズマを形成して光を発生する発光物質が封入された電球部３１０と、該電球部３１０と前記内部導体２２１間に連結された固定部材３３０と、前記電球部３１０の外方側に被覆形成された反射部３２０と、から構成されている。
【００２７】
且つ、前記電球部３１０は、石英などのように、光透過率が良く誘電損失が極めて少ない材質により製作され、前記電球部３１０の内部には、動作中プラズマを形成して発光を主導するハロゲン族化合物、硫黄（Ｓ）及びセレン（Ｓｅ）のような発光物質と、発光初期に発光部内にプラズマを形成するアルゴン（Ａｒ）、キセノン（Ｘｅ）及びクリプトン（Ｋｒ）の不活性ガスと、水銀のように初期放電を助けて点灯を容易にさせると共に、発生する光のスペクトルなどを調節する放電触媒物質などが封入される。
【００２８】
また、前記反射部３２０は、前記第２共振部２２０の端部に該第２共振部２２０の外側方向に拡大されるよう湾曲形成され、電球部３１０から発生する光が直進されるように前記電球部３１０を焦点とする放物線の曲率を有するようになっている。且つ、電磁波が共振空間Ｓの内部から前記電球部３１０方向に自由に移動して光を反射させるように、高温にも耐えられる石英やアルミニウムのような誘電体物質（誘電鏡）により形成される。
【００２９】
且つ、前記電球部３１０は、その一方側が棒状に延長されて固定部材３３０が形成され、前記反射部３２０の内部に挿入されることで、前記第２共振部２２０の内部導体２２１に切削形成された固定溝２２１ａに後述する固定ピン３３１により係合される。
【００３０】
このとき、前記固定部材３３０は、図９の（Ａ）に示したように、前記電球部３１０と同様な材質を有して先方端に固定ピン３３１の基端が挿合され、該固定ピン３３１の先方端が前記第２共振部２２０の内部導体２２１に嵌合されるように形成することもできるし、又は、図９の（Ｂ）に示したように、前記固定部材３３０の先方端と第２共振部２２０の内部導体２２１が嵌合された外周壁面とを結合部材３３２によって被覆することもできる。
【００３１】
一方、前記電球部３１０は、使用条件に応じてその大きさが非常に小さくなるとき、初期点灯特性を改善するために点灯促進部３４０を更に含むように形成することができる。
【００３２】
即ち、図１０の（Ａ）に示したように、前記第２共振部２２０の軸方向の固定溝２２１ａに、前記電球部３１０の固定部材３３０に点灯促進部が連結された第１導体３４１が係合されるように構成することもできる。
【００３３】
また、前記第１導体３４１は、図１０の（Ａ）〜（Ｃ）に示したように、一方端が電球部３１０の内部に突出されるように固定部材３３０の内部に埋入されるが、図１０の（Ａ）に示したように、先方端の形状を尖形に形成することもできるし、又は、図１０の（Ｂ）に示したように、平らに形成することもできる。且つ、前記第１導体３４１と前記固定ピン３３１間には、伝導性部材３４３が係合されることで前記第２共振部２２０の内部導体２２１に電源３１０を連結し得るようになる。
【００３４】
また、前記点灯促進部３４０は、図１１の（Ａ）〜（Ｃ）に示したように、前記第１導体３４１と対向する前記電球部３１０の他方側に第２導体３４２を更に形成することもできるが、このとき、第１及び第２導体３４１，３４２の全てを尖形に形成することもできるし、図１１の（Ｂ）に示したように、第１導体３４１の先方端のみは平らに形成することができる。
【００３５】
そして、前記第２導体３４２は、図１１の（Ｃ）及び図１２に示したように、後述するカバー部材３５０の内側面まで延長形成されて、該カバー部材３５０の内側面に伝導性物質でメッシュコーティングされるか、又は、それ自体がメッシュ又は伝導性金属でメッシュコーディングされることで、電磁波の外部漏出を防止し得るようになっている。
【００３６】
一方、前記反射部３２０には、図１に示したように、開口部３２１が開放されて、該開口部３２１には、図１２に示したように、内部に異質物が流入される現象を防止すると共に、光学特性を改善するためのカバー部材３５０が更に設置される。
【００３７】
且つ、前記カバー部材３５０は、光学特性を改善するためのフィルターで構成されるか、又は、電磁波が外部に漏出されることを防止するために、メッシュまたは伝導性金属物質でメッシュコーティングされた透明部材及び透明伝導膜等で製作される。
【００３８】
本発明に係る無電極照明システムにおいては、プロジェクタなどの小型光源として使用し得るように、その大きさを減らし得る手段として、図１３に示したように、前記共振部２００の第１共振部２１０及び第２共振部２２０に、アルミナ及びテフロンのような低損失誘電物質を充填して使用することもできる。このとき、小さい寸法の共振部２００によって動作し得るという利点があり、前記反射部３２０は、電磁波を通過させて光を反射させる反射面３２５に表面処理を行うのみで、別途の部材を必要としないため、その構造を一層簡単にすることができる。
【００３９】
即ち、図１に示したように、電磁波発生部１００と第１共振部２１０の内部導体２１１間に、電磁波発生部１００の出口部１１０を縮小させる連結部材１１１が設置され、該連結部材１１１は、前記電磁波発生部１００と第１共振部２１０間でインピーダンスの不連続性（ｄｉｓｃｏｎｔｉｎｕｉｔｙ）を減らす役割をする。
【００４０】
且つ、本発明に係る無電極照明システムにおいては、前記電磁波発生部１００の出口部１１０の外径をａとし、前記第１共振部２１０の外部導体２１２の内径をｂとした時、１／８＜ａ／ｂ＜１／１２を満足することが好ましい。
【００４１】
又、図１４に示したように、本発明に係る無電極照明システムの等価回路は、第１共振部２１０のインピーダンスがＺ０、第１共振部２１０及び第２共振部２２０の連結部分（インピーダンスマッチング部２４０を含む）に対するパラメーター（ｐａｒａｍｅｔｅｒ）がＴ１、第２共振部２２０の内部導体２２１の一方側端部から第１共振部２１０の内部導体２１１の連結部分までのインピーダンスがＺ１、第２共振部２２０の内部導体２２１の端部と第１共振部２１０の内部導体２１１との連結部分から発光部３００までのインピーダンスがＺ２、第２共振部２２０の内部導体２２１と発光部３００との連結部分に対するパラメーターがＴ２、点灯促進部３４０のインピーダンスがＺ３、電球部３１０がＲに夫々示されている。
【００４２】
本発明に係る無電極照明システムは、正常動作時を基準に内部構成要素の各物性値を調整して、前記発光部３００の電球部３１０で全てのエネルギーを消費するように構成することで、外部に漏出される電磁波を遮断するだけでなく、最適の効率を具現するようになる。
【００４３】
【発明の効果】
以上説明したように、本発明に係る無電極照明システムにおいては、まず、外部電源の電源供給により、電磁波発生部１００が予め設定された周波数を有する電磁波を発生し、該発生した電磁波は前記共振部２００に伝達されて、第１共振部２１０及び第２共振部２２０内で共振することで発光部３００に伝達され、該発光部３００の電球部３１０の内部に封入された発光物質をプラズマ状態に変化させて光を発生し、該発生した光は反射部の形態に応じて進行するようになるが、この時、前記電球部３１０に設置された点灯促進部３４０によって、より小さな内部空間の電球部３１０も短時間の間点灯される。且つ、前記第１共振部２１０及び第２共振部２２０は、内部導体２１１，２２１の内径及び外部導体２１２，２２２の外径を適切に調整して、電磁波の周波数に適合したインピーダンスにマッチングされるため、その動作効率を向上し得るという効果がある。
【００４４】
また、共振空間Ｓ中、第１共振部２１０と第２共振部２２０との連結部分にインピーダンスマッチング部２４０を設置して電磁波の流れを円滑にすることで、システムの効率を一層向上し得るという効果がある。
【００４５】
且つ、電磁波発生部１００の出口部１１０の直径を適切に調節することで、第１共振部２１０の内部導体２１１に対する抵抗を減らし、よって、エネルギー伝送を増加させてランプの光度を高められるだけでなく、前記インピーダンスマッチング部２４０の構造を簡素化し得るという効果がある。
【００４６】
また、共振部２００の共振空間Ｓの内部にテフロンやアルミナのような低損失誘電体を充填することで、電磁波の損失を大きく減らして効率を高めるため、無電極照明システムの大きさを減少し得るという効果がある。
【００４７】
また、電磁波発生部１００から発生する電磁波を共振部２００の内部に案内する内部導体２１１，２２１を直交するように、前記共振部２００の内部に設置することで一層小型化された無電極照明システムが得られるという効果がある。
【００４８】
また、第１共振部２１０及び第２共振部２２０の寸法を変更して、インピーダンスマッチングを行って共振周波数を調節することで、無電極照明システムの光度を安定化する共に、システムの大きさを減少してプロジェクションなどの光源としても活用し得るという効果がある。
【図面の簡単な説明】
【図１】本発明に係る無電極照明システムの構造を示した縦断面図である。
【図２】図１のＩＩ−ＩＩ線横断面図である。
【図３】図１の内部を示した部分切欠斜視図である。
【図４】図１の電磁波発生部と第１共振部との連結部分を示した拡大断面図である。
【図５】図１の第１共振部及び第２共振部の各内部導体間の係合構造の第１実施形態を示した斜視図である。
【図６】図１の第１共振部及び第２共振部の各内部導体間の係合構造の第２実施形態を示した斜視図である。
【図７】図１の第１共振部及び第２共振部の各内部導体間の係合構造の第３実施形態を示した斜視図である。
【図８】（Ａ）は図１のインピーダンスマッチング部の第１実施形態を示した縦断面図、（Ｂ）は図１のインピーダンスマッチング部の他の実施形態を示した縦断面図である。
【図９】（Ａ）は図１の発光部と第２共振部との係合構造の第１実施形態を示した縦断面図、（Ｂ）は図１の発光部と第２共振部との係合構造の他の実施形態を示した縦断面図である。
【図１０】（Ａ）は図１の点灯促進部の第１実施形態を示した縦断面図、（Ｂ）は図１の点灯促進部の他の実施形態を示した縦断面図、（Ｃ）は図１の点灯促進部の又他の実施形態を示した縦断面図である。
【図１１】（Ａ）は図１の点灯促進部のその他の実施形態を示した断面図、（Ｂ）は図１の点灯促進部の又その他の実施形態を示した断面図、（Ｃ）は図１の点灯促進部の又その他の実施形態を示した断面図である。
【図１２】図１のカバー部を示した斜視図である。
【図１３】図１の共振空間内に誘電物質が充填される場合を示した縦断面図である。
【図１４】図１の等価回路を示した回路図である。
【符号の説明】
１００…電磁波発生部
１１０…出口部
１１１…連結部材
２００…共振部
Ｓ…共振空間
２１０…第１共振部
２２０…第２共振部
２１１，２２１…内部導体
２１２，２２２…外部導体
２４０…インピーダンスマッチング部
２４１，２４２…スタブ
３００…発光部
３１０…電球部
３２０…反射部
３３０…固定部材
３４０…点灯促進部
３４１…第１導体
３４２…第２導体
３５０…カバー部材
【図１】
2004273412.tif 000003
【図２】
2004273412.tif 000004
【図３】
2004273412.tif 000005
【図４】
2004273412.tif 000006
【図５】
2004273412.tif 000007
【図６】
2004273412.tif 000008
【図７】
2004273412.tif 000009
【図８】
2004273412.tif 000010
【図９】
2004273412.tif 000011
【図１０】
2004273412.tif 000012
【図１１】
2004273412.tif 000013
【図１２】
2004273412.tif 000014
【図１３】
2004273412.tif 000015
【図１４】
2004273412.tif 000016